(57)【特許請求の範囲】
【請求項１】
被試験端末（４０）からフレーム信号を入力し、前記フレーム信号に含まれ時分割された時分割データの特性を測定する測定装置（１０）であって、
前記時分割データごとの測定項目を設定する測定項目設定手段（１２）と、
前記各時分割データを取り込む時分割データ取込手段（２１）と、
予め定められた付加時間（ｔ１）を前記測定項目ごとに記憶する付加時間記憶手段（２３）と、
前記時分割データに割り当てられた時間（ｔ０、ｔ２）の前後に前記付加時間を付加することにより前記時分割データを測定するための測定期間（Ｔ１、Ｔ２）を設定する測定期間設定手段（２２）と、
前記測定期間において前記時分割データの特性を測定する時分割データ測定手段（３０）と、
を備えたことを特徴とする測定装置。
【請求項２】
前記被試験端末は、複数の通信方式に従って通信可能なものであり、
前記付加時間記憶手段は、前記付加時間を前記通信方式ごとに記憶するものであり、
前記測定期間設定手段は、前記測定期間を前記通信方式ごとに設定するものであることを特徴とする請求項１に記載の測定装置。
【請求項３】
前記時分割データ取込手段は、前記各時分割データを順次連続して取り込むものであることを特徴とする請求項１又は請求項２に記載の測定装置。
【請求項４】
前記時分割データ測定手段は、前記時分割データ取込手段が前記各時分割データを取り込む処理と並行して、前記特性を測定する複数の測定部（３１、３２）を備えたことを特徴とする請求項１から請求項３までのいずれか１項に記載の測定装置。
【請求項５】
前記時分割データ測定手段は、前記各測定部に対して、前記特性を測定する処理の割当を行う測定割当部（３３）をさらに備えたことを特徴とする請求項４に記載の測定装置。
【請求項６】
被試験端末（４０）からフレーム信号を入力し、前記フレーム信号に含まれ時分割された時分割データの特性を測定する測定方法であって、
前記時分割データごとの測定項目を設定する測定項目設定ステップ（Ｓ１１）と、
前記各時分割データを取り込む時分割データ取込ステップ（Ｓ１３）と、
予め定められた付加時間（ｔ１）を前記測定項目ごとに記憶した付加時間テーブル（２３）に基づき、前記時分割データに割り当てられた時間（ｔ０、ｔ２）の前後に前記付加時間を付加することにより前記時分割データを測定するための測定期間（Ｔ１、Ｔ２）を設定する測定期間設定ステップ（Ｓ１５）と、
前記測定期間において前記時分割データの特性を測定する時分割データ測定ステップ（Ｓ１６）と、
を含むことを特徴とする測定方法。
【請求項７】
前記被試験端末は、複数の通信方式に従って通信可能なものであり、
前記付加時間テーブルは、前記付加時間を前記通信方式ごとに記憶するものであり、
前記測定期間設定ステップにおいて、前記測定期間を前記通信方式ごとに設定することを特徴とする請求項６に記載の測定方法。
【発明の詳細な説明】
【技術分野】
【０００１】
本発明は、例えば、携帯電話やモバイル端末等の携帯端末の出力信号を測定する測定装置及び測定方法に関する。
【背景技術】
【０００２】
従来、この種の装置としては、特許文献１記載の変調信号解析装置が知られている。
【０００３】
特許文献１記載のものは、タイムスロット（以下、単に「スロット」という。）ごとに変調信号の解析を行う信号解析部と、解析結果の正常異常を判定する異常判定部と、解析結果が異常と判定された場合の異常原因を究明するために実施すべき変調信号に対する複数の測定項目（信号パワー、変調精度等）及びその解析結果の正常異常判定の実施順序を示す原因究明シーケンスを記憶する原因究明シーケンスメモリと、原因究明シーケンスに従って異常原因を究明する異常原因究明部と、各解析結果、判定結果、異常原因を表示する表示部と、を有する。
【０００４】
この構成により、特許文献１記載のものは、信号パワーや変調精度等の解析結果に対する正常異常判定を自動実施し、さらに異常原因も自動的に究明することができるようになっている。
【先行技術文献】
【特許文献】
【０００５】
【特許文献１】特開２００７−１０４２９４号公報
【発明の概要】
【発明が解決しようとする課題】
【０００６】
しかしながら、特許文献１記載のものは、信号パワーや変調精度等の測定を行う際に、スロットごとのデータを測定するための測定期間を測定項目にかかわらず、安全を見込んだ一定の測定期間としていたので、測定時間の短縮化が図れないという課題があった。図１０を用いて具体的に説明する。
【０００７】
図１０は、あるフレーム信号に含まれる、時系列に連続したスロット４〜６を示している。各スロットの時間ｔ０は、通信方式ごとに定められている。例えば、ＷＣＤＭＡ（Wideband-Code Division Multiple Access）の通信方式では、各スロットの時間ｔ０＝０．６６７ｍｓである。
【０００８】
従来の測定装置では、図示のスロット５のデータについて信号パワーや変調精度等を測定する場合、スロット内の信号の立ち上がり時間及び立ち下がり時間や、フィルタ処理に要するサンプル数等を考慮して、スロット５の時間ｔ０に対して、その前後に付加時間ｔを付加して測定期間Ｔ（＝ｔ０＋２ｔ）を定めていた。ここで、付加時間ｔは、測定項目や通信方式によってその最適値が変動するが、従来の測定装置では、種々の測定項目や通信方式に対応できるよう比較的大きな余裕（時間マージン）を持たせた固定値の付加時間ｔを採用していた。そのため、従来の測定装置では、スロットごとの測定期間Ｔが比較的長くなり、測定時間の短縮化が図れないという課題があった。
【０００９】
本発明は、従来の課題を解決するためになされたものであり、測定時間の短縮化を図ることができる測定装置及び測定方法を提供することを目的とする。
【課題を解決するための手段】
【００１０】
本発明の請求項１に係る測定装置は、被試験端末（４０）からフレーム信号を入力し、前記フレーム信号に含まれ時分割された時分割データの特性を測定する測定装置（１０）であって、前記時分割データごとの測定項目を設定する測定項目設定手段（１２）と、前記各時分割データを取り込む時分割データ取込手段（２１）と、予め定められた付加時間（ｔ１）を前記測定項目ごとに記憶する付加時間記憶手段（２３）と、前記時分割データに割り当てられた時間（ｔ０、ｔ２）の前後に前記付加時間を付加することにより前記時分割データを測定するための測定期間（Ｔ１、Ｔ２）を設定する測定期間設定手段（２２）と、前記測定期間において前記時分割データの特性を測定する時分割データ測定手段（３０）と、を備えた構成を有している。
【００１１】
この構成により、本発明の請求項１に係る測定装置は、時分割データに割り当てられた時間の前後に、測定項目ごとに予め定められた付加時間を付加することにより時分割データを測定する測定期間を設定するので、従来のものとは異なり、比較的大きな余裕を持たせることなく、適正な測定期間を設定することができ、測定時間の短縮化を図ることができる。
【００１２】
本発明の請求項２に係る測定装置は、前記被試験端末は、複数の通信方式に従って通信可能なものであり、前記付加時間記憶手段は、前記付加時間を前記通信方式ごとに記憶するものであり、前記測定期間設定手段は、前記測定期間を前記通信方式ごとに設定するものである構成を有している。
【００１３】
この構成により、本発明の請求項２に係る測定装置は、複数の通信方式に従って通信可能な被試験端末を測定対象とする場合でも、測定期間を通信方式ごとに設定することにより、測定時間の短縮化を図ることができる。
【００１４】
本発明の請求項３に係る測定装置は、前記時分割データ取込手段は、前記各時分割データを順次連続して取り込むものである構成を有している。
【００１５】
この構成により、本発明の請求項３に係る測定装置は、各時分割データを順次連続して取り込み、取り込んだ各データを比較的短時間で測定することができる。
【００１６】
本発明の請求項４に係る測定装置は、前記時分割データ測定手段は、前記時分割データ取込手段が前記各時分割データを取り込む処理と並行して、前記特性を測定する複数の測定部（３１、３２）を備えた構成を有している。
【００１７】
この構成により、本発明の請求項４に係る測定装置は、時分割データの取り込みと測定とを並行して行うので、測定時間の短縮化を図ることができる。
【００１８】
本発明の請求項５に係る測定装置は、前記時分割データ測定手段は、前記各測定部に対して、前記特性を測定する処理の割当を行う測定割当部（３３）をさらに備えた構成を有している。
【００１９】
この構成により、本発明の請求項５に係る測定装置は、測定割当部が測定処理の割当を行うことにより、各測定部に効率よく測定を行わせることができ、測定時間の短縮化を図ることができる。
【００２０】
本発明の請求項６に係る測定方法は、被試験端末（４０）からフレーム信号を入力し、前記フレーム信号に含まれ時分割された時分割データの特性を測定する測定方法であって、前記時分割データごとの測定項目を設定する測定項目設定ステップ（Ｓ１１）と、前記各時分割データを取り込む時分割データ取込ステップ（Ｓ１３）と、予め定められた付加時間（ｔ１）を前記測定項目ごとに記憶した付加時間テーブル（２３）に基づき、前記時分割データに割り当てられた時間（ｔ０、ｔ２）の前後に前記付加時間を付加することにより前記時分割データを測定するための測定期間（Ｔ１、Ｔ２）を設定する測定期間設定ステップ（Ｓ１５）と、前記測定期間において前記時分割データの特性を測定する時分割データ測定ステップ（Ｓ１６）と、を含む構成を有している。
【００２１】
この構成により、本発明の請求項６に係る測定方法は、時分割データに割り当てられた時間の前後に、測定項目ごとに予め定められた付加時間を付加することにより時分割データを測定する測定期間を設定するので、従来のものとは異なり、比較的大きな余裕を持たせることなく、適正な測定期間を設定することができ、測定時間の短縮化を図ることができる。
【００２２】
本発明の請求項７に係る測定方法は、前記被試験端末は、複数の通信方式に従って通信可能なものであり、前記付加時間テーブルは、前記付加時間を前記通信方式ごとに記憶するものであり、前記測定期間設定ステップにおいて、前記測定期間を前記通信方式ごとに設定する構成を有している。
【００２３】
この構成により、本発明の請求項７に係る測定方法は、複数の通信方式に従って通信可能な被試験端末を測定対象とする場合でも、測定期間を通信方式ごとに設定することにより、測定時間の短縮化を図ることができる。
【発明の効果】
【００２４】
本発明は、測定時間の短縮化を図ることができるという効果を有する測定装置及び測定方法を提供することができるものである。
【図面の簡単な説明】
【００２５】
【図１】本発明に係る測定装置の一実施形態におけるブロック構成図である。
【図２】本発明に係る測定装置の一実施形態における測定手段のハードウェア構成図である。
【図３】本発明に係る測定装置の一実施形態における付加時間テーブルの一例を示す図である。
【図４】本発明に係る測定装置の一実施形態において、スロットに対する測定期間の設定の説明図である。
【図５】本発明に係る測定装置の一実施形態において、サブフレームに対する測定期間の設定の説明図である。
【図６】本発明に係る測定装置の一実施形態において、測定手段の動作の説明図である。
【図７】本発明に係る測定装置の一実施形態において、測定割当部による割り当ての説明図である。
【図８】本発明に係る測定装置の一実施形態における動作を示すフローチャートである。
【図９】本発明に係る測定装置の一実施形態において、スロットのデータ測定の他の態様の説明図である。
【図１０】従来の測定装置による測定期間の設定の説明図である。
【発明を実施するための形態】
【００２６】
以下、本発明の実施形態について図面を用いて説明する。
【００２７】
図１に示すように、本実施形態における測定装置１０は、被試験端末としての携帯端末４０の出力信号を測定するものである。携帯端末４０は、１つ以上の通信方式に対応したものである。
【００２８】
通信方式の例としては、前述のＷＣＤＭＡの他に、ＧＳＭ（登録商標）（Global System for Mobile Communications）、ＬＴＥ（Long Term Evolution）、ＣＤＭＡ２０００（Code Division Multiple Access 2000）、ＥＶＤＯ（Evolution Data Only）、ＴＤＳＣＤＭＡ（Time Division Synchronous Code Division Multiple Access）、Ｗｉ−Ｆｉ（登録商標）規格に準拠した無線ＬＡＮ（Local Area Network）等がある。
【００２９】
測定装置１０は、操作部１１、設定部１２、送受信部１３、表示部１４、測定手段２０を備えている。
【００３０】
操作部１１は、携帯端末４０の測定における各測定条件の入力や、表示部１４の表示内容を設定するため、試験者が操作するものである。例えば、操作部１１は、キーボード、ダイヤル又はマウスのような入力デバイス、測定条件等を表示するディスプレイ、これらを制御する制御回路やソフトウェア等で構成される。
【００３１】
設定部１２は、試験者が操作部１１で入力した各測定条件等を送受信部１３や表示部１４に設定するようになっている。この設定部１２は、本発明に係る測定項目設定手段を構成する。
【００３２】
送受信部１３は、例えば同軸ケーブルにより携帯端末４０に接続されており、携帯端末４０と通信するようになっている。
【００３３】
具体的には、送受信部１３は、送信系回路及び受信系回路を備えている。送信系回路は、ＤＡ（Digital to Analog）変換器、アンプ、フィルタ、周波数可変局部発振器、アップコンバータ、送信アンテナ等を備えている。受信系回路は、ＡＤ（Analog to Digital）変換器、フィルタ、アンプ、ダウンコンバータ、周波数可変局部発振器、受信アンテナ等を備えている。
【００３４】
この構成により、送受信部１３は、設定部１２から入力するデジタル信号を所定周波数帯域のＲＦ（無線周波数）信号に変換し、携帯端末４０に送信することができる。また、送受信部１３は、携帯端末４０から所定周波数帯域のＲＦ信号を受信し、デジタル信号に変換して測定手段２０に出力することができる。
【００３５】
測定手段２０は、取込部２１、測定期間設定部２２、付加時間テーブル２３、測定部３０、測定結果記憶部２４を備えている。測定部３０は、第１測定部３１、第２測定部３２、測定割当部３３を備えている。なお、測定部３０は、本発明に係る時分割データ測定手段を構成する。また、第１測定部３１及び第２測定部３２は、本発明に係る複数の測定部を構成する。
【００３６】
ここで、測定手段２０のハードウェア構成を図２に示す。図２に示すように、測定手段２０は、バス２０ｆに接続された第１のＣＰＵ２０ａ、第２のＣＰＵ２０ｂ、ＲＯＭ２０ｃ、第１のＲＡＭ２０ｄ、第２のＲＡＭ２０ｅで構成されている。
【００３７】
第１のＣＰＵ２０ａは、ＲＯＭ２０ｃに記憶されたプログラムに従って、測定手段２０の全体の動作を制御するものである。
【００３８】
第２のＣＰＵ２０ｂは、コアａ及びコアｂを有するデュアルコア型のＣＰＵである。コアａ及びコアｂは、それぞれ、第１測定部３１及び第２測定部３２を構成する。第２のＣＰＵ２０ｂは、ＲＯＭ２０ｃに記憶されたプログラムに従って測定を行うようになっている。
【００３９】
ＲＯＭ２０ｃは、第１のＣＰＵ２０ａ及び第２のＣＰＵ２０ｂが処理するプログラムコードを記憶するとともに、付加時間テーブル２３として機能するようになっている。
【００４０】
第１のＲＡＭ２０ｄは、送受信部１３からフレーム信号を取り込んで記憶するようになっている。すなわち、第１のＲＡＭ２０ｄは、取込部２１を構成する。
【００４１】
第２のＲＡＭ２０ｅは、測定結果のデータを入力して記憶するようになっている。すなわち、第２のＲＡＭ２０ｅは、測定結果記憶部２４を構成する。
【００４２】
図１に戻り、各構成の機能を説明する。
【００４３】
取込部２１は、送受信部１３が携帯端末４０から受信したフレーム信号を入力し、フレーム信号に含まれる時分割されたデータを順次取り込んで記憶するようになっている。この取込部２１は、例えば数十フレーム分の信号を取り込むことができる。なお、取込部２１は、本発明に係る時分割データ取込手段を構成する。
【００４４】
測定期間設定部２２は、付加時間テーブル２３から測定項目に対応した付加時間のデータを読み出し、時分割された時分割データに割り当てられた時間に付加時間を付加して測定期間を設定するようになっている。この測定期間設定部２２は、本発明に係る測定期間設定手段を構成する。
【００４５】
付加時間テーブル２３は、実験やシミュレーション等によって予め定められた付加時間のデータを通信方式ごとにテーブル化して記憶するようになっている。この付加時間テーブル２３は、本発明に係る付加時間記憶手段を構成する。
【００４６】
測定結果記憶部２４は、測定部３０が測定した測定結果のデータを記憶するようになっている。
【００４７】
表示部１４は、例えば液晶ディスプレイで構成され、測定結果記憶部２４に記憶された測定結果のデータを読み出して表示するようになっている。
【００４８】
次に、付加時間テーブル２３が記憶する付加時間のデータについて図３を用いて説明する。
【００４９】
図３に示した付加時間テーブル２３は、ＷＣＤＭＡの通信方式の場合と、ＬＴＥの通信方式の場合での付加時間のデータを含む。測定項目としては、信号パワー（Ｐｏｗｅｒ）、変調精度（ＥＶＭ）、占有周波数帯域幅（ＯＢＷ）、スプリアスエミッションマスク（ＳＥＭ）、隣接チャネル漏洩電力比（ＡＣＬＲ）を例示している。
【００５０】
まず、ＷＣＤＭＡの通信方式においては、１フレームの時間は１０ｍｓであり、１フレームには時分割された１５個のスロットが含まれている。すなわち、１スロットの時間は０．６６７ｍｓである。この１スロットの時間に対して、付加時間テーブル２３には、例えばＥＶＭの測定において本実施形態では０．０２ｍｓが付加時間として定められている。測定期間設定部２２は、ＷＣＤＭＡの通信方式においてＥＶＭを測定する際には、０．０２ｍｓの付加時間を図４に示すように付加する。
【００５１】
すなわち、測定期間設定部２２は、図４に示すように、ＷＣＤＭＡの通信方式のＥＶＭ測定において、各スロットの時間ｔ０（０．６６７ｍｓ）の前後に、それぞれ、０．０２ｍｓの付加時間ｔ１を付加した期間（０．７０７ｍｓ）を測定期間Ｔ１として設定するものである。ここで、ＷＣＤＭＡの通信方式におけるスロットのデータは、本発明に係る時分割データの一例である。
【００５２】
なお、図４においては、連続するスロット４、５、６のうちスロット５について説明したが、測定期間設定部２２は、あるフレームの最初のスロットについても、そのスロットに割り当てられた時間の前後に付加時間を付加して測定期間を設定する。
【００５３】
次に、ＬＴＥの通信方式においては、１フレームの時間は１０ｍｓであり、１フレームには時分割された２０個のスロットが含まれている。このＬＴＥの通信方式では、２個のスロットを１個のサブフレームとして扱われることがあり、１サブフレームの時間は１．０ｍｓである。この１サブフレームの時間に対して、付加時間テーブル２３（図３参照）には、例えばＡＣＬＲの測定において本実施形態では０．０５ｍｓが付加時間として定められている。測定期間設定部２２は、ＬＴＥの通信方式においてＡＣＬＲを測定する際には、０．０５ｍｓの付加時間を図５に示すように付加する。
【００５４】
すなわち、測定期間設定部２２は、図５に示すように、ＬＴＥの通信方式のＡＣＬＲ測定において、各サブフレームの時間ｔ０（１．０ｍｓ）の前後に、それぞれ、０．０５ｍｓの付加時間ｔ１を付加した期間（１．１ｍｓ）を測定期間Ｔ２として設定するものである。なお、ＬＴＥの通信方式におけるサブフレームのデータは、本発明に係る時分割データの一例である。また、ＬＴＥの通信方式においても、図４に示したように、スロットごとの付加時間を予め求めて付加する構成としてもよい。
【００５５】
なお、測定期間設定部２２は、複数の測定項目について測定する際には、付加時間の大きい方を採用する。例えば、ＬＴＥの通信方式において、信号パワー（付加時間０．０１ｍｓ）及びＥＶＭ（付加時間０．０５ｍｓ）を測定する際には、ＥＶＭの付加時間０．０５ｍｓを採用して測定期間を設定する。
【００５６】
付加時間テーブル２３は、実験やシミュレーション等により、通信方式及び測定項目ごとの付加時間を適正に定めたものである。したがって、測定期間設定部２２は、通信方式及び測定項目に応じて適正な測定期間を設定することができる。
【００５７】
図１に戻り、測定部３０の構成について説明する。
【００５８】
第１測定部３１及び第２測定部３２は、測定割当部３３の割当指示に基づいて、取込部２１が取り込んだデータを測定するようになっている。
【００５９】
測定割当部３３は、第１測定部３１及び第２測定部３２の処理負荷を観視し、測定処理を割り当てるようになっている。
【００６０】
測定部３０の動作を図６に示す模式図に基づき説明する。
【００６１】
図６の上段には、連続したフレーム５０、７０に含まれるスロットのデータを取込部２１が時系列で連続して取り込む状況が示されている。フレーム５０はスロット５１〜６０を含み、フレーム７０はスロット７１〜８０を含む。
【００６２】
図６の中段には、測定期間設定部２２が設定した測定期間が示されている。前述のように、測定期間設定部２２は、各スロットの時間の前後に付加時間を付加している。
【００６３】
図６の下段には、第１測定部３１と第２測定部３２とが互いに並行して、測定割当部３３に割り当てられたスロットのデータを測定している状況が示されている。例えば、第１測定部３１は、スロット５１の取り込みが開始されて所定時間経過後に測定を開始し、第２測定部３２は、スロット５２の取り込みが開始されて所定時間経過後に測定を開始している。
【００６４】
測定割当部３３は、前述のように、第１測定部３１及び第２測定部３２の処理負荷を観視し、測定処理を割り当てるものであるが、図６に示した例では、第１測定部３１及び第２測定部３２の測定時間を同一（測定処理の負荷が同一）としているので、測定割当部３３は、第１測定部３１及び第２測定部３２に交互に測定処理を割り当てることになる。
【００６５】
他方、測定割当部３３は、第１測定部３１及び第２測定部３２の一方の測定処理が終了した場合には、測定処理が終了した方に新たな測定処理を割り当てるようになっている。
【００６６】
例えば、図７に示すように、スロット５１〜５７が測定対象の場合、測定割当部３３は、スロット５１〜５５の測定処理を第１測定部３１及び第２測定部３２に交互に割り当てる。ここで、第２測定部３２がスロット５４の測定を終了する前に、第１測定部３１がスロット５５の測定を終了している。この場合、測定割当部３３は、次スロットであるスロット５６の測定を第１測定部３１に割り当て、第２測定部３２がスロット５４の測定を終了したときスロット５７の測定を割り当てる。
【００６７】
前述の構成により、測定装置１０は、取込部２１に各スロットのデータを取り込みさせながら、第１測定部３１及び第２測定部３２が互いに並行して各スロットのデータを測定することができるので、測定時間の短縮化を図ることができる。
【００６８】
次に、本実施形態における測定装置１０の動作について、図１に示したブロック構成図を適宜参照しながら図８に示すフローチャートを用いて説明する。
【００６９】
設定部１２は、試験者が操作部１１を操作して入力した測定項目の情報を送受信部１３及び測定手段２０に出力して測定項目を設定する（ステップＳ１１）。測定項目としては、例えば、１つ以上の通信方式の指定、測定対象のフレーム及びスロットの指定、信号パワー、変調精度等である。
【００７０】
送受信部１３は、携帯端末４０と通信し、携帯端末４０から測定対象のフレーム信号を受信し（ステップＳ１２）、受信したフレーム信号をダウンコンバータにより所定の中間周波数信号に変換した後にＡＤ変換して測定手段２０に出力する。
【００７１】
測定手段２０の取込部２１は、図６の上段に示したようにフレーム信号に含まれるスロットのデータを順次連続して取り込む（ステップＳ１３）。
【００７２】
測定期間設定部２２は、設定部１２が設定した通信方式及び測定項目に応じた付加時間のデータを付加時間テーブル２３から読み出し（ステップＳ１４）、スロットに割り当てられた時間の前後に付加時間を付加して測定期間を設定し（ステップＳ１５）、測定対象のデータ範囲を定める。
【００７３】
第１測定部３１及び第２測定部３２は、測定割当部３３の割り当てに基づいて、取込部２１が取り込んだスロットのデータを測定期間において互いに並行して測定し（ステップＳ１６）、測定結果のデータを測定結果記憶部２４に出力する。
【００７４】
表示部１４は、測定結果記憶部２４から測定結果のデータを読み出して表示する（ステップＳ１７）。
【００７５】
次に、測定手段２０の測定について、他の態様を図９に基づいて説明する。
【００７６】
前述の説明では、図６に示したように、連続したフレームに含まれるスロットについての測定を例に挙げたが、図９に示すように、フレーム列から任意のフレームを抜き出して測定することもできる。このフレームの抜き出しの指示は、試験者が操作部１１を操作して抜き出しのフレームを定めた後、設定部１２が、抜き出し対象のフレームの情報を測定手段２０に出力することにより実行される。
【００７７】
図９には、フレームが連続したフレーム列が示され、このフレーム列からフレーム１０１、１０３、１１５、１２２及び１２３を抜き出して、各フレームに含まれる測定対象のスロットを取込部２１が取り込む状況が示されている。
【００７８】
図９に示すように、フレーム１０１のスロット１〜４は変調精度（ＥＶＭ）、フレーム１０１のスロット１〜１０は信号パワー（Ｐｏｗｅｒ）が測定対象となっている。また、フレーム１０３では、１０個のスロットのうちスロット１〜６が占有周波数帯域幅（ＯＢＷ）の測定対象となっている。
【００７９】
また、フレーム１１５は、ハーフフレーム分のフレーム信号が取り込まれ、そのうちのスロット１及び２がスプリアスエミッションマスク（ＳＥＭ）の測定対象となっている。
【００８０】
また、フレーム１２２及び１２３の２フレーム分が連続して取込部２１に取り込まれ、全スロット数２０のうち、スロット１〜１６が信号パワー（Ｐｏｗｅｒ）の測定対象となっている。
【００８１】
前述のように、測定手段２０は、連続したフレーム列から任意のフレームを抜き出し、抜き出したフレームに含まれる任意のスロットのデータを所定の測定項目について測定することもできる。
【００８２】
以上のように、本実施形態における測定装置１０は、スロットやサブフレームといった時分割データに割り当てられた時間の前後に付加時間を付加することにより時分割データを測定する測定期間を設定する構成としたので、従来のものとは異なり、比較的大きな余裕を持たせることなく、適正な測定期間を設定することができ、測定時間の短縮化を図ることができる。
【００８３】
なお、前述の実施形態において、デュアルコアを有するＣＰＵを用いて２つの測定部を構成する例を挙げて説明したが、本発明はこれに限定されない。例えば、３つ以上のコアを有するＣＰＵを用いて、３つ以上の測定部を備えた測定装置を構成することもできる。この測定装置は、さらなる測定時間の短縮化を図ることができる。
【産業上の利用可能性】
【００８４】
以上のように、本発明に係る測定装置及び測定方法は、測定時間の短縮化を図ることができるという効果を有し、携帯電話やモバイル端末等の携帯端末の出力信号を測定する測定装置及び測定方法として有用である。
【符号の説明】
【００８５】
１０  測定装置
１１  操作部
１２  設定部（測定項目設定手段）
１３  送受信部
１４  表示部
２０  測定手段
２０ａ  第１のＣＰＵ
２０ｂ  第２のＣＰＵ
２０ｃ  ＲＯＭ
２０ｄ  第１のＲＡＭ
２０ｅ  第２のＲＡＭ
２０ｆ  バス
２１  取込部（時分割データ取込手段）
２２  測定期間設定部（測定期間設定手段）
２３  付加時間テーブル（付加時間記憶手段）
２４  測定結果記憶部
３０  測定部（時分割データ測定手段）
３１  第１測定部（複数の測定部）
３２  第２測定部（複数の測定部）
３３  測定割当部
４０  携帯端末（被試験端末）
【図１】
0005547219.tif 000002
【図２】
0005547219.tif 000003
【図３】
0005547219.tif 000004
【図４】
0005547219.tif 000005
【図５】
0005547219.tif 000006
【図６】
0005547219.tif 000007
【図７】
0005547219.tif 000008
【図８】
0005547219.tif 000009
【図９】
0005547219.tif 000010
【図１０】
0005547219.tif 000011